(57)【要約】【課題】情報記録媒体の使用開始当初においても磁気テープのスムーズな引き出しおよび巻き戻しを可能とするばね調整装置を提供する。【解決手段】その先端部に引き出し用のリーダピンを固定した磁気テープがケース本体２２に収容されると共にリーダピンの移動を規制するばね部材２９がケース本体２２における磁気テープ引き出し口の近傍に配設されたテープカートリッジ２１のばね部材２９をその使用状態になじませるばね調整が可能に構成され、ばね部材２９に当接可能なピン状部材１２と、ばね調整の際にピン状部材１２を磁気テープ引き出し口を介してケース本体２２の内部に移動させると共にピン状部材１２をばね部材２９に当接させた状態で所定方向に移動させてばね部材２９を弾性変形させる第１移動機構１１とを備えている。【選択図】        図２
2005056457.tif 000002
【特許請求の範囲】
【請求項１】
その先端部に引き出し用のリーダピンを固定した磁気テープがケース本体に収容されると共に当該リーダピンの移動を規制するばね部材が当該ケース本体における磁気テープ引き出し口の近傍に配設された情報記録媒体の当該ばね部材をその使用状態になじませるばね調整が可能に構成され、
前記ばね部材に当接可能な当接部材と、前記ばね調整の際に前記当接部材を前記磁気テープ引き出し口を介して前記ケース本体の内部に移動させると共に当該当接部材を前記ばね部材に当接させた状態で所定方向に移動させて当該ばね部材を弾性変形させる移動機構とを備えているばね調整装置。
【請求項２】
前記移動機構は、前記所定方向として前記磁気テープ引き出し口を形成する前記ケース本体の一面に対して直交またはほぼ直交する方向に前記当接部材を所定回数だけ進退動させる請求項１記載のばね調整装置。
【請求項３】
前記ばね部材に当接した状態で前記所定方向に沿って進退動させられている前記当接部材を当該所定方向の左右方向に対して遊びを有する状態で保持する保持部を備え、
前記移動機構は、前記保持部を進退動させることによって前記当接部材を進退動させる請求項２記載のばね調整装置。
【請求項４】
前記当接部材は、前記リーダピンと同形状またはほぼ同形状のピン状部材で構成され、
前記保持部には、細長の断面形状を有し、かつその断面形状の長手方向が前記直交方向に対して所定角度で交差して前記ピン状部材を保持するための孔が形成されている請求項３記載のばね調整装置。
【請求項５】
前記当接部材は、細長の断面形状を有する中心孔が形成された一対の円柱状部材で構成され、
前記保持部の先端部には、前記中心孔に挿入した状態で前記各円柱状部材をそれぞれ保持可能な一対の円柱状の突出部が上下方向に突出するようにして配設されている請求項３記載のばね調整装置。
【請求項６】
前記情報記録媒体の前記磁気テープ引き出し口に配設されたドア部材を開扉する開扉機構を備え、
前記移動機構は、前記開扉機構によって前記ドア部材が開扉されているときに前記当接部材を移動させる１から５のいずれかに記載のばね調整装置。
【請求項７】
請求項１から６のいずれかに記載のばね調整装置を備えて、前記情報記録媒体を製造可能に構成されている情報記録媒体製造装置。
【発明の詳細な説明】
【０００１】
【発明の属する技術分野】
本発明は、その先端部に引き出し用のリーダピンを固定した磁気テープがケース本体に収容されると共にリーダピンの移動を規制するばね部材が配設された情報記録媒体におけるそのばね部材をその使用状態になじませるように弾性変形させるばね調整を可能に構成されたばね調整装置、およびそのばね調整装置を備えて情報記録媒体を製造可能に構成された情報記録媒体製造装置に関するものである。
【０００２】
【従来の技術】
データを大容量で記録可能な情報記録媒体として、１リールタイプのカートリッジ式記録媒体（一例として、特開２０００−２６０１５６号公報に開示された磁気テープカートリッジ（１））が知られている。この磁気テープカートリッジ（１）は、カートリッジケース（４）、および磁気テープ（６）を巻回したリール（７）を備えて構成されている。この場合、磁気テープ（６）の先端部には、磁気テープ（６）をカートリッジケース（４）から引き出すための円柱状のリーダピン（５）が固定されている。
【０００３】
カートリッジケース（４）は、上ケース（２）および下ケース（３）を嵌め合わせて構成されて、リール（７）を回転可能に収容する。この場合、上ケース（２）および下ケース（３）の各側面には、磁気テープ（６）を引き出すための開口部（１０）を構成する切り欠きがそれぞれ形成されている。また、上ケース（２）および下ケース（３）における開口部（１０）の近傍には、リーダピン（５）の両端部に形成された固定部（５ｄ），（５ｄ）を格納する格納部（２０），（２０）がそれぞれ形成されている。また、カートリッジケース（４）における開口部（１０）の近傍には、固定部（５ｄ），（５ｄ）にその先端係止部（９ｃ），（９ｃ）を当接（近接）させることによってリーダピン（５）の移動を規制するロック部材（９）が配設されている。
【０００４】
この磁気テープカートリッジ（１）では、磁気テープ（６）がリール（７）に巻回された状態（不使用状態）において、磁気テープ（６）の先端部に固定されたリーダピン（５）の固定部（５ｄ），（５ｄ）が格納部（２０），（２０）にそれぞれ格納され、ロック部材（９）の先端係止部（９ｃ），（９ｃ）が固定部（５ｄ），（５ｄ）に当接する。これにより、リーダピン（５）の移動が規制される。
【０００５】
一方、磁気テープカートリッジ（１）を例えば記録再生装置に装填した際には、記録再生装置がテープ引き出し用部材をリーダピン（５）に係合させて、カートリッジケース（４）の開口部（１０）から引き出す。この際に、リーダピン（５）の固定部（５ｄ），（５ｄ）が、ロック部材（９）の先端係止部（９ｃ），（９ｃ）をその押圧力（ロック部材（９）の弾性力）に抗して押し返しつつ、その側面と先端係止部（９ｃ），（９ｃ）の当接面との摺動による摩擦力に抗して格納部（２０），（２０）から引き出される。次に、記録再生装置側のリールが磁気テープ（６）の巻き取りを開始し、記録再生装置の記録再生部がデータの記録や再生を実行する。次いで、記録や再生を終了した際には、記録再生装置がリール（７）を回転させて磁気テープ（６）を巻回する。続いて、磁気テープの巻回がほぼ終了した際には、リーダピン（５）の固定部（５ｄ），（５ｄ）は、磁気テープ（６）の巻回によってロック部材（９）の先端係止部（９ｃ），（９ｃ）をその押圧力に抗して押し返しつつ、その側面と先端係止部（９ｃ），（９ｃ）の当接面との摺動による摩擦力に抗して格納部（２０），（２０）に引き戻される。次いで、格納部（２０），（２０）に固定部（５ｄ），（５ｄ）が格納され、先端係止部（９ｃ），（９ｃ）が固定部（５ｄ），（５ｄ）に当接する。これにより、リーダピン（５）の移動が規制される。
【０００６】
【特許文献１】
特開２０００−２６０１５６号公報（第４−６頁）
【０００７】
【発明が解決しようとする課題】
ところが、この従来の磁気テープカートリッジ（１）には、以下の問題点がある。すなわち、この磁気テープカートリッジ（１）のロック部材（９）を含むこの種のロック部材は、例えば金属材料に対して、プレス加工、曲げ加工および熱処理などを施して製造されている。この場合、一般的に、金属材料にプレス加工を施した際には、加工面にばりが生じる。また、金属材料に曲げ加工や熱処理を施した際には、内部に応力が発生して残留する。このため、これらの加工や処理を施して製造されたこの種のロック部材では、使用開始当初において、ロック部材のばりに起因して、ロック部材とリーダピンとが摺動した際に大きな摩擦抵抗が発生する。また、残留した応力（残留応力）が弾性変形を阻害するため、その分だけ弾性変形し難い状態となっている。したがって、この磁気テープカートリッジ（１）には、新品状態での使用開始当初において、ロック部材（９）のばりや残留応力に起因して、上記したリーダピン（５）の引き出しおよび引き戻しの際に大きな力が必要となるため、磁気テープのスムーズな引き出しおよび巻き戻しが困難となるおそれがあるという問題点が存在する。
【０００８】
本発明は、かかる問題点に鑑みてなされたものであり、情報記録媒体の使用開始当初においても磁気テープのスムーズな引き出しおよび巻き戻しを可能とするばね調整装置を提供することを主目的とする。また、使用開始当初においても磁気テープのスムーズな引き出しおよび巻き戻しが可能な情報記録媒体を製造し得る情報記録媒体製造装置を提供することを主目的とする。
【０００９】
【課題を解決するための手段】
上記目的を達成すべく本発明に係るばね調整装置は、その先端部に引き出し用のリーダピンを固定した磁気テープがケース本体に収容されると共に当該リーダピンの移動を規制するばね部材が当該ケース本体における磁気テープ引き出し口の近傍に配設された情報記録媒体の当該ばね部材をその使用状態になじませるばね調整が可能に構成され、前記ばね部材に当接可能な当接部材と、前記ばね調整の際に前記当接部材を前記磁気テープ引き出し口を介して前記ケース本体の内部に移動させると共に当該当接部材を前記ばね部材に当接させた状態で所定方向に移動させて当該ばね部材を弾性変形させる移動機構とを備えている。
【００１０】
この場合、前記移動機構が前記所定方向として前記磁気テープ引き出し口を形成する前記ケース本体の一面に対して直交またはほぼ直交する方向に前記当接部材を所定回数だけ進退動させるのが好ましい。
【００１１】
また、前記ばね部材に当接した状態で前記所定方向に沿って進退動させられている前記当接部材を当該所定方向の左右方向に対して遊びを有する状態で保持する保持部を備え、前記移動機構が前記保持部を進退動させることによって前記当接部材を進退動させるのが好ましい。
【００１２】
また、前記リーダピンと同形状またはほぼ同形状のピン状部材で前記当接部材を構成し、細長の断面形状を有し、かつその断面形状の長手方向が前記直交方向に対して所定角度で交差して前記ピン状部材を保持するための孔を前記保持部に形成するのが好ましい。
【００１３】
また、細長の断面形状を有する中心孔が形成された一対の円柱状部材で前記当接部材を構成し、前記中心孔に挿入した状態で前記各円柱状部材をそれぞれ保持可能な一対の円柱状の突出部を上下方向に突出するようにして前記保持部の先端部に配設するのが好ましい。
【００１４】
さらに、前記情報記録媒体の前記磁気テープ引き出し口に配設されたドア部材を開扉する開扉機構を備え、前記移動機構が前記開扉機構によって前記ドア部材が開扉されているときに前記当接部材を移動させるのが好ましい。
【００１５】
また、本発明に係る情報記録媒体製造装置は、上記のばね調整装置を備えて、前記情報記録媒体を製造可能に構成されている。
【００１６】
【発明の実施の形態】
以下、本発明に係る情報記録媒体製造装置の好適な発明の実施の形態について、添付図面を参照して説明する。
【００１７】
最初に、情報記録媒体製造装置１０１、および情報記録媒体製造装置１０１を使用して組み立てられるテープカートリッジ２１の構成について、図面を参照して説明する。
【００１８】
図１に示す情報記録媒体製造装置（以下、「製造装置」ともいう）１０１は、ばね調整装置１および搬送装置１０２を備え、図７に示すテープカートリッジ２１を製造可能に構成されている。ばね調整装置１は、図１に示すように、第１移動機構１１、ピン状部材１２、保持部１３、第２移動機構１４、開閉用部材１５および制御部１６を備え、テープカートリッジ２１の製造に際して、図７に示す上ケース２２ａおよび下ケース２２ｂにそれぞれ組み付けられたばね部材２９，２９（図２参照）を弾性変形させることによって使用状態になじませるばね調整工程を実行可能に構成されている。第１移動機構１１は、本発明における移動機構に相当し、制御部１６の制御下で、図２に示すように、ピン状部材１２を保持した状態の保持部１３をケース本体２２（上ケース２２ａおよび下ケース２２ｂ）の各側板（本発明におけるケース本体の一面）３３，３４に対して直交する方向に進退動（移動）させる。ピン状部材１２は、本発明における当接部材に相当し、テープカートリッジ２１のリーダピン２８と同形状に形成されている。具体的には、ピン状部材１２は、図３，４に示すように、保持部１３に嵌め込まれてその中央部が保持される軸１２ａと、ばね部材２９，２９にそれぞれ当接する端部１２ｂ，１２ｂと、保持部１３に嵌め込まれた状態におけるピン状部材１２の上下動を規制するフランジ１２ｃ，１２ｃとを備えて構成されている。このピン状部材１２は、ばね部材２９に端部１２ｂを当接させた状態で第１移動機構１１によって進退動させられることにより、ばね部材２９を弾性変形させる。
【００１９】
保持部１３は、図３，５に示すように、その基端部側が第１移動機構１１に固定された本体部１３ａと、本体部１３ａの先端部側にねじ止め固定される先端部１３ｂとを備えている。また、本体部１３ａおよび先端部１３ｂには、両者を固定したときに、その断面形状が楕円形の孔１３ｃを構成する溝１３ｄ，１３ｅがそれぞれ形成されている。この場合、溝１３ｄ，１３ｅは、図５に示すように、第１移動機構１１によって移動させられる方向（同図では左右方向）に対して孔１３ｃの断面形状における長手方向が例えば４５度の角度で交差するように形成されている。この保持部１３は、図３に示すように、孔１３ｃにピン状部材１２の軸１２ａを嵌め込むことにより、同図の矢印で示す方向（孔１３ｃの断面形状における長手方向）に移動可能な状態（本発明における左右方向に遊びを有する状態）でピン状部材１２を保持する。第２移動機構１４は、本発明における開扉機構に相当し、制御部１６の制御下でドア部材２７（図７参照）のスライド方向（開閉方向）に沿って開閉用部材１５を移動させる。開閉用部材１５は、ドア部材２７の突起部に係合可能に形成されて、図６に示す矢印方向およびその逆方向に向けて第２移動機構１４によって往復動させられる。制御部１６は、第１移動機構１１および第２移動機構１４を統括的に制御する。
【００２０】
搬送装置１０２は、各部品が組み付けられて互いに嵌合された上ケース２２ａおよび下ケース２２ｂ（以下、両者を「部品組み付け済みのケース本体２２」ともいう）をばね調整装置１によってばね調整が実行される作業位置に搬送する。また、搬送装置１０２は、ばね調整が完了した部品組み付け済みのケース本体２２を次の工程が実行される作業位置に搬送する。
【００２１】
一方、テープカートリッジ２１は、例えば電子計算機に記録された記録データをバックアップするためのストレージデバイスとして使用可能な１リールタイプのカートリッジ式の情報記録媒体であって、図７に示すように、上記したケース本体２２を備え、このケース本体２２には、テープリール２３、ブレーキスプリング２４、ロック部材２５、ブレーキ解除板２６およびドア部材２７などが収容されている。この場合、テープリール２３には、磁気テープ（図示せず）が巻回されており、この磁気テープの先端には、記録データの記録再生時にケース本体２２内から磁気テープを引き出すためのリーダピン２８が固定されている。また、ドア部材２７は、ケース本体２２における側板３３，３４の内側にスプリング２７ａと共に配設されて、側板３３，３４に沿ってスライド（開扉）させられることによってテープ引き出し口（磁気テープ引き出し口）３１を開口する。なお、ブレーキスプリング２４、ロック部材２５およびブレーキ解除板２６などの形状や機能等については公知のため、本発明についての理解を容易とするためにその説明を省略する。
【００２２】
ケース本体２２は、互いに嵌合可能な上記の上ケース２２ａおよび下ケース２２ｂを備えている。この場合、上ケース２２ａには、天板３２の四辺に立設された４つの側板のうちの側板３３に、テープ引き出し口３１を構成する切り欠き３１ａが形成されている。また、下ケース２２ｂには、底板の四辺に立設された４つの側板のうちの側板３４に、上ケース２２ａの切り欠き３１ａと相俟ってテープ引き出し口３１を構成する切り欠き３１ｂが形成されている。なお、上ケース２２ａおよび下ケース２２ｂは、その形状や、ばね部材２９の取り付け構造などがほぼ同様のため、以下、上ケース２２ａについて代表して説明して、下ケース２２ｂについての説明を省略する。
【００２３】
図６に示すように、上ケース２２ａにおける切り欠き３１ａ（テープ引き出し口３１）の近傍には、リーダピン２８のリーダピン端部（図示せず）を格納するリーダピン格納部３５が形成されている。また、切り欠き３１ａの近傍には、ケース本体２２からのリーダピン２８の離脱を規制する上記のばね部材２９が固定されている。この場合、ばね部材２９は、例えば金属材料にプレス加工、曲げ加工および熱処理などを施すことによって所定形状に形成されて、その基端部が上ケース２２ａ（天板３２）に溶着固定されている。このばね部材２９は、リーダピン端部がリーダピン格納部３５に格納されている状態において、係止部２９ａがリーダピン端部を所定の押圧力（ばね部材２９の弾性力）で押圧することによってリーダピン２８の移動（リーダピン格納部３５からの離脱）を規制する。また、ばね部材２９は、リーダピン２８がテープ引き出し口３１に向けて引き出される際には、引き出し時の引出力によって外側（同図では上側）に向けて弾性変形してリーダピン端部の移動を許容することでリーダピン２８に対する移動規制を解除する。
【００２４】
次に、製造装置１０１のばね調整装置１によって実行されるばね調整について、図面を参照して説明する。なお、この製造装置１０１では、ばね調整が完了した後に、テープリール２３に磁気テープが巻回される。したがって、ばね調整が実行される時点では、部品組み付け済みのケース本体２２内には磁気テープおよびリーダピン２８が収容されていない状態となっている。
【００２５】
まず、搬送装置１０２が、部品組み付け済みのケース本体２２を上ケース２２ａ側を下向きにした状態で搬送して、ばね調整装置１近傍における所定の停止位置で停止させる。この場合、その停止位置は、図６に示すように、ばね調整装置１のピン状部材１２と、ばね部材２９の係止部２９ａとが互いに対向する位置に規定されている。次に、ばね調整装置１がばね調整を実行する。この工程では、まず、制御部１６が、第２移動機構１４を制御して、同図に示すように、開閉用部材１５をドア部材２７の開扉方向（同図では矢印で示す下方向、図２では紙面に対して手前側の方向）に沿って移動させる。この際に、開閉用部材１５の先端部がドア部材２７の突出部に係合してドア部材２７を開扉する。
【００２６】
次いで、制御部１６は、ピン状部材１２を進退動させるための制御信号を第１移動機構１１に対して出力する。これに応じて、第１移動機構１１が、ケース本体２２の側板３３に直交する方向にピン状部材１２（ピン状部材１２を保持している保持部１３）を移動（前進）させる。この際に、図８に示すように、ピン状部材１２の端部１２ｂがばね部材２９の係止部２９ａに当接した状態で前進させられるため、係止部２９ａが外側（同図では上側）に向けて押圧される結果、ばね部材２９が弾性変形させられる。次いで、第１移動機構１１は、ピン状部材１２を移動（後退）させる。この際に、外側への押圧が解除されるため、ばね部材２９は弾性変形前の状態に復帰する。続いて、第１移動機構１１は、ピン状部材１２の前進および後退を例えば２回繰り返して実行する。この場合、ピン状部材１２の端部１２ｂと、ばね部材２９の係止部２９ａとの摺動により、例えば製造時に係止部２９ａの縁部に生じたばりが平坦に均されるため、係止部２９ａの摩擦抵抗が小さくなる。また、弾性変形させられることにより、ばね部材２９は、その残留応力が除去されて弾性変形し難い状態が解消される。つまり、ばね部材２９が弾性変形し易くなる。これにより、ばね部材２９がその使用状態になじむようにばね調整される。したがって、完成状態におけるテープカートリッジ２１は、使用開始当初においても磁気テープのスムーズな引き出しおよび巻き戻しが可能となる。
【００２７】
次に、制御部１６は、第２移動機構１４を制御して、開閉用部材１５を後退させる。この際に、ドア部材２７がスプリング２７ａによって閉塞方向（図８における上方向）に押し戻されるため、テープ引き出し口３１がドア部材２７によって閉塞される。次いで、搬送装置１０２は、ばね調整の完了した部品組み付け済みのケース本体２２を次の工程が実行される作業位置に搬送すると共に、次の部品組み付け済みのケース本体２２を停止位置に搬送する。続いて、制御部１６は、上記した処理と同様にして第２移動機構１４に対してドア部材２７を開扉させた後に第１移動機構１１に対してピン状部材１２を進退動させる。この場合、例えば折り曲げ加工時の曲げ過ぎや下ケース２２ｂ（または上ケース２２ａ）への固定時の位置ずれなどに起因してばね部材２９の当接部２９ａが内側（図９における下側）に位置しているとき、および図９に示すように、例えばケース本体２２が本来停止すべき位置よりもやや手前で停止させられたときには、ピン状部材１２の端部１２ｂは、ばね部材２９の当接部２９ａに当接した際に、移動方向に向かって右側（同図では右下側）の方向に移動する（逃がされる）。つまり、端部１２ｂは、孔１３ｃの内部において、同図の矢印で示す向きで移動する。このため、例えば端部１２ｂがばね部材２９の当接部２９ａに当接して無理な力を加えることに起因するばね部材２９の変形（塑性変形）が防止される。次に、制御部１６は、第１移動機構１１によるピン状部材１２の進退動が３回終了した時点で、第２移動機構１４に対して開閉用部材１５を後退させる。次いで、搬送装置１０２は、上記した部品組み付け済みのケース本体２２の搬送を繰り返して実行し、ばね調整装置１は、制御部１６の制御下でばね調整を繰り返して実行する。
【００２８】
このように、このばね調整装置１によれば、ピン状部材１２をばね部材２９に当接させた状態で所定方向に移動させてばね部材２９（特に当接部２９ａ）を弾性変形させるばね調整を実行することにより、ピン状部材１２とばね部材２９との摺動によって例えば製造時に生じたばね部材２９のばりを平坦に均すことができるため、ばりに起因する摩擦抵抗を十分に小さくすることができる。また、ばね部材２９を弾性変形させることによってばね部材２９の残留応力を十分に除去することができるため、使用開始当初からばね部材２９を弾性変形し易い状態に調整することができる。したがって、ばね部材２９を使用状態になじませることができるため、テープカートリッジ２１に対して、新品状態での使用開始当初においても磁気テープのスムーズな引き出しおよび巻き戻しが可能な状態に調整することができる。また、この情報記録媒体製造装置１０１によれば、ばね調整装置１を備えたことにより、テープカートリッジ２１の製造段階においてばね調整を実行させることができるため、新品状態での使用開始当初においても磁気テープのスムーズな引き出しおよび巻き戻しが可能なテープカートリッジ２１を製造することができる。
【００２９】
また、第１移動機構１１がテープ引き出し口３１を形成する側板３３に対してほぼ直交する方向にピン状部材１２を進退動させることにより、例えばピン状部材１２の移動方向を切り替える等の複雑な移動制御を行うことなく一方向に進退動させるだけでばね部材２９をばね調整することができるため、ばね調整装置１を簡易に構成することができる。
【００３０】
また、保持部１３が進退動させられる方向の左右方向に対して遊びを有する状態でピン状部材１２を保持することにより、例えばばね部材２９の係止部２９ａとピン状部材１２とが対向していない状態でピン状部材１２が移動させられたとしても、ピン状部材１２を移動方向の左側または右側に移動させる（逃がす）ことができる。このため、無理な力を加えることに起因するばね部材２９の変形（塑性変形）を確実に防止することができる。
【００３１】
また、リーダピン２８と同形状のピン状部材１２を使用することにより、実際の使用状態と同じようにしてばね部材２９を弾性変形させることができるため、例えば変形量が大き過ぎてのばね部材２９の塑性変形や、変形量が小さ過ぎてのばね調整不足（応力の残留）を確実に防止することができる。また、進退動させられる方向に対してその長手方向が例えば４５度の角度で交差するように断面形状が楕円形の孔１３ｃを保持部１３に形成したことにより、進退動させられる方向の左右方向へのピン状部材１２の移動を簡易な構成で実現することができる。
【００３２】
また、ドア部材２７を開扉可能な第２移動機構１４および開閉用部材１５を備えたことにより、ばね調整よりも前の工程でドア部材２７が組み付けられたケース本体２２に対しても、ばね調整を確実に実行することができる。また、ドア部材２７のスプリング２７ａに対するばね調整とばね部材２９に対するばね調整とを１つの工程内で行うことができる結果、テープカートリッジ２１の製造コストを十分に低減することができる。
【００３３】
なお、本発明は、上記した本発明の実施の形態に限定されない。例えば、本発明の実施の形態では、リーダピン２８と同形状のピン状部材１２を使用する例について説明したが、本発明における当接部材はこれに限定されず、断面楕円状の柱状部材等の各種形状の部材を採用することができる。また、例えば図１０に示すように、ピン状部材１２に代えて、一対の円柱状部材４１，４１を備えると共に、保持部１３に代えて、保持部５１を備えたばね調整装置を採用することもできる。この場合、同図に示すように、円柱状部材４１には、細長の断面形状を有する中心孔４３が形成されている。また、保持部５１には、中心孔４３に挿入可能な一対の円柱状の突出部５２，５２が上下方向に突出するようにしてその各先端部にそれぞれ形成されている。この場合、突出部５２には、その先端部にねじ込み固定される蓋５４と相俟って、嵌め込み状態における円柱状部材４１の上下方向への移動を規制するフランジ５３が取り付けられている。この保持部５１は、進退動させられる方向の左右方向に対して遊びを有する状態で円柱状部材４１，４１を保持する。この構成においても、進退動させられる方向の左右方向に対する円柱状部材４１，４１の移動を簡易な構成で実現することができる。
【００３４】
さらに、本発明の実施の形態では、断面形状が楕円形の孔１３ｃを保持部１３に形成した例について説明したが、孔の断面形状はこれに限定されず、図１１に示す孔６２のように、例えば長方形状に形成することもできる。この場合、同図に示す保持部６１のように、進退動する方向に対して孔６２の長手方向が９０度の角度で交差するようにしてもよい。また、本発明の実施の形態では、側板３３に対して直交する方向にピン状部材１２を進退動させる例について説明したが、例えば側板３３に対して６０度等の所定角度で交差する方向に進退動させることもできる。また、必ずしも孔は必要とされず、ピン状部材１２を固定する（移動不可状態で保持する）保持部を採用することもできる。
【００３５】
【発明の効果】
以上のように、本発明に係るばね調整装置によれば、ばね調整の際に当接部材を磁気テープ引き出し口を介してケース本体の内部に移動させると共に当接部材をばね部材に当接させた状態で所定方向に移動させて弾性変形させるばね調整を実行することにより、当接部材とばね部材との摺動によって例えば製造時にばね部材に生じたばりを平坦に均すことができるため、ばりに起因する摩擦抵抗を十分に小さくすることができる。また、ばね部材を弾性変形させることによってばね部材の残留応力を十分に除去することができるため、使用開始当初からばね部材を弾性変形し易い状態に調整することができる。したがって、ばね部材を使用状態になじませることができるため、情報記録媒体に対して、新品状態での使用開始当初においても磁気テープのスムーズな引き出しおよび巻き戻しが可能な状態に調整することができる。
【００３６】
また、本発明に係るばね調整装置によれば、移動機構が磁気テープ引き出し口を形成するケース本体の一面に対して直交またはほぼ直交する方向に当接部材を所定回数だけ進退動させることにより、例えば当接部材の移動方向を切り替える等の複雑な移動制御を行うことなく一方向に進退動させるだけでばね部材をばね調整することができるため、ばね調整装置を簡易に構成することができる。
【００３７】
また、本発明に係るばね調整装置によれば、進退動させられる方向の左右方向に対して遊びを有する状態で当接部材が保持部によって保持されることにより、例えばばね部材と当接部材とが正しく対向していない状態で当接部材が移動させられたとしても、当接部材を移動方向の左側または右側に移動させることができる。このため、無理な力を加えることに起因するばね部材の変形（塑性変形）を確実に防止することができる。
【００３８】
また、本発明に係るばね調整装置によれば、リーダピンと同形状またはほぼ同形状のピン状部材を当接部材として用いることにより、実際の使用状態と同じようにしてばね部材を弾性変形させることができるため、例えば変形量が大き過ぎてのばね部材の塑性変形や、変形量が小さ過ぎてのばね調整不足（応力が残留する）を確実に防止することができる。また、進退動させられる方向に対してその長手方向が所定角度で交差するように断面形状が長孔状の孔を保持部に形成したことにより、進退動させられる方向の左右方向へのピン状部材の移動を簡易な構成で実現することができる。
【００３９】
さらに、本発明に係るばね調整装置によれば、細長の断面形状を有する中心孔が形成された一対の円柱状部材で当接部材を構成すると共に、中心孔に挿入した状態で各円柱状部材をそれぞれ保持可能な一対の円柱状の突出部を上下方向に突出するようにして保持部の先端部に配設したことにより、進退動させられる方向の左右方向への円柱状部材の移動を簡易な構成で実現することができる。
【００４０】
また、本発明に係るばね調整装置によれば、ドア部材を開扉する開扉機構を備え、移動機構が開扉機構によってドア部材が開扉されているときに当接部材を移動させることにより、ばね調整よりも前の工程でドア部材が組み付けられたとしても、このばね調整を確実に実行することができる。また、例えばドア部材の付勢用のスプリングに対するばね調整とばね部材に対するばね調整とを１つの工程で行うことができる結果、製造コストを十分に低減することができる。
【００４１】
また、本発明に係る情報記録媒体製造装置によれば、ばね調整装置を備えたことにより、情報記録媒体の製造段階においてばね調整を実行させることができるため、新品状態での使用開始当初においても磁気テープのスムーズな引き出しおよび巻き戻しが可能な情報記録媒体を製造することができる。
【図面の簡単な説明】
【図１】本発明の実施の形態に係る製造装置１０１の構成を示すブロック図である。
【図２】ばね調整装置１およびテープカートリッジ２１の側面図である。
【図３】保持部１３にピン状部材１２が保持された状態の斜視図である。
【図４】ピン状部材１２の斜視図である。
【図５】保持部１３の分解斜視図である。
【図６】上ケース２２ａおよびピン状部材１２の平面図である。
【図７】テープカートリッジ２１の分解斜視図である。
【図８】ピン状部材１２がばね部材２９に当接した状態の平面図である。
【図９】ピン状部材１２が移動方向に対して右後ろ側の方向に移動させられている状態の平面図である。
【図１０】他の実施形態に係る円柱状部材４１，４１および保持部５１の斜視図である。
【図１１】さらに他の実施形態に係る保持部６１の斜視図である
【符号の説明】
１  ばね調整装置
１１  第１移動機構
１２  ピン状部材
１３，５１，６１  保持部
１３ｃ  孔
１４  第２移動機構
１５  開閉用部材
２１  テープカートリッジ
２２  ケース本体
２７  ドア部材
２８  リーダピン
２９  ばね部材
３１  テープ引き出し口
３３，３４  側板
４１  円柱状部材
１０１  情報記録媒体製造装置
【図１】
2005056457.tif 000003
【図２】
2005056457.tif 000004
【図３】
2005056457.tif 000005
【図４】
2005056457.tif 000006
【図５】
2005056457.tif 000007
【図６】
2005056457.tif 000008
【図７】
2005056457.tif 000009
【図８】
2005056457.tif 000010
【図９】
2005056457.tif 000011
【図１０】
2005056457.tif 000012
【図１１】
2005056457.tif 000013